(57)【要約】【課題】ショーケースにおいて発生するコールドアイルを確実に抑制する。【解決手段】前面が開口して商品を冷却可能なショーケース１の背面の上端部からショーケース１の背面及び底面を通ってショーケース１の前面の下端部まで伸びるエアダクト３内に、回転翼４ａにより空気の流れを発生させる送風機４を運転する運転装置において、店舗内の温度を調整する空気調和機の運転に応じて、空気調和機の運転が冷房運転である場合と暖房運転である場合とで回転翼４ａの回転方向を逆にする。これにより、エアダクト３内に生じる空気の流れが空気調和機の運転に応じて逆方向になり二方向となるので、空気の流れが一方向である場合と比べ、ショーケース１において発生するコールドアイルを確実に抑制することができる。【選択図】図１
2011242104.tif 000002
【特許請求の範囲】
【請求項１】
前面が開口して商品を冷却可能なショーケースの背面の上端部から前記ショーケースの背面及び底面を通って前記ショーケースの前面の下端部まで伸びるエアダクト内に、回転翼により空気の流れを発生させる送風機を運転する運転装置であって、
店舗内の温度を調整する空気調和機の運転に応じて、前記空気調和機の運転が冷房運転である場合と暖房運転である場合とで前記回転翼の回転方向を逆にすることを特徴とする送風機の運転装置。
【請求項２】
前記空気調和機の運転が冷房運転である場合、前記回転翼の回転方向を空気が前記エアダクト内を床側から天井側に流れる方向にし、前記空気調和機の運転が暖房運転である場合、前記回転翼の回転方向を空気が前記エアダクト内を天井側から床側に流れる方向にすることを特徴とする請求項１記載の送風機の運転装置。
【請求項３】
前記店舗周辺の季節に対応する期間に応じて前記回転翼の回転方向を切り替えることを特徴とする請求項１又は２記載の送風機の運転装置。
【請求項４】
前記店舗の営業時間に応じて前記店舗の営業時間中のみ前記回転翼の回転を許可することを特徴とする請求項１、２又は３記載の送風機の運転装置。
【請求項５】
前記ショーケース前面の床付近の温度を測定する第１の温度センサを備え、
前記第１の温度センサにより測定された温度が第１のしきい値より高いか否かを判断し、その温度が前記第１のしきい値より高いと判断した場合、前記回転翼を停止させることを特徴とする請求項１ないし４のいずれか一に記載の送風機の運転装置。
【請求項６】
前記ショーケース上方の天井付近の温度を測定する第２の温度センサを備え、
前記第２の温度センサにより測定された温度が第２のしきい値より低いか否かを判断し、その温度が前記第２のしきい値より低いと判断した場合、前記回転翼の回転方向を空気が前記エアダクト内を床側から天井側に流れる方向にすることを特徴とする請求項１ないし５のいずれか一に記載の送風機の運転装置。
【請求項７】
前記第１の温度センサは赤外線センサであることを特徴とする請求項５記載の送風機の運転装置。
【請求項８】
前記第２の温度センサは赤外線センサであることを特徴とする請求項６記載の送風機の運転装置。
【請求項９】
前面が開口して商品を冷却可能なショーケースの背面の上端部から前記ショーケースの背面及び底面を通って前記ショーケースの前面の下端部まで伸びるエアダクト内に、回転翼により空気の流れを発生させる送風機を運転する運転方法であって、
店舗内の温度を調整する空気調和機の運転に応じて、前記空気調和機の運転が冷房運転である場合と暖房運転である場合とで前記回転翼の回転方向を逆にすることを特徴とする送風機の運転方法。
【発明の詳細な説明】
【技術分野】
【０００１】
本発明は、送風機の運転装置及び送風機の運転方法に関する。
【背景技術】
【０００２】
スーパーマーケットやコンビニエンスストア等の店舗においては、冷蔵食品や生鮮食品等の商品陳列のため、オープンショーケースが用いられている。このオープンショーケースの前面、すなわち商品陳列棚の前面は開口しており、その開口部が冷却器による冷気のエアカーテンにより覆われ、商品陳列棚の空間が外気と仕切られる。
【０００３】
このようなオープンショーケースにおいては、エアカーテンの影響により通路となるケース前面の床付近にコールドアイル（冷気溜まり）が発生し、顧客等の利用者に不快感を与えることがある。そこで、このコールドアイルを抑制するため、オープンショーケースの上部にファンを設け、そのファンにより空気を天井側から床側に向けてケース背面のダクトを介して供給する技術が提案されている（例えば、特許文献１参照）。
【先行技術文献】
【特許文献】
【０００４】
【特許文献１】特開２００２−２２８２１８号公報
【発明の概要】
【発明が解決しようとする課題】
【０００５】
しかしながら、前述の技術では、空気の流れが天井側から床側への一方向であり、また、店舗内の天井付近の温度が低い場合には、冷たい空気が床付近に供給されるため、コールドアイルを確実に抑制することは難しい。特に、店舗内の温度を調整する空気調和機の運転が冷房運転中である場合には、常時冷たい空気が床付近に供給されるため、コールドアイルの抑制はより困難となる。
【０００６】
本発明は上記を鑑みてなされたものであり、その目的は、ショーケースにおいて発生するコールドアイルを確実に抑制することができる送風機の運転装置及び送風機の運転方法を提供することである。
【課題を解決するための手段】
【０００７】
本発明に係る第１の特徴は、送風機の運転装置において、前面が開口して商品を冷却可能なショーケースの背面の上端部から前記ショーケースの背面及び底面を通って前記ショーケースの前面の下端部まで伸びるエアダクト内に、回転翼により空気の流れを発生させる送風機を運転する運転装置であって、店舗内の温度を調整する空気調和機の運転に応じて、前記空気調和機の運転が冷房運転である場合と暖房運転である場合とで前記回転翼の回転方向を逆にすることである。
【０００８】
本発明に係る第２の特徴は、送風機の運転装置において、前記空気調和機の運転が冷房運転である場合、前記回転翼の回転方向を空気が前記エアダクト内を床側から天井側に流れる方向にし、前記空気調和機の運転が暖房運転である場合、前記回転翼の回転方向を空気が前記エアダクト内を天井側から床側に流れる方向にすることである。
【０００９】
本発明に係る第３の特徴は、送風機の運転装置において、前記店舗周辺の季節に対応する期間に応じて前記回転翼の回転方向を切り替えることである。
【００１０】
本発明に係る第４の特徴は、送風機の運転装置において、前記店舗の営業時間に応じて前記店舗の営業時間中のみ前記回転翼の回転を許可することである。
【００１１】
本発明に係る第５の特徴は、送風機の運転装置において、前記ショーケース前面の床付近の温度を測定する第１の温度センサを備え、前記第１の温度センサにより測定された温度が第１のしきい値より高いか否かを判断し、その温度が前記第１のしきい値より高いと判断した場合、前記回転翼を停止させることである。
【００１２】
本発明に係る第６の特徴は、送風機の運転装置において、前記ショーケース上方の天井付近の温度を測定する第２の温度センサを備え、前記第２の温度センサにより測定された温度が第２のしきい値より低いか否かを判断し、その温度が前記第２のしきい値より低いと判断した場合、前記回転翼の回転方向を空気が前記エアダクト内を床側から天井側に流れる方向にすることである。
【００１３】
本発明に係る第７の特徴は、送風機の運転装置において、前記第１の温度センサが赤外線センサであることである。
【００１４】
本発明に係る第８の特徴は、送風機の運転装置において、前記第２の温度センサが赤外線センサであることである。
【００１５】
本発明に係る第９の特徴は、送風機の運転方法において、前面が開口して商品を冷却可能なショーケースの背面の上端部から前記ショーケースの背面及び底面を通って前記ショーケースの前面の下端部まで伸びるエアダクト内に、回転翼により空気の流れを発生させる送風機を運転する運転方法であって、店舗内の温度を調整する空気調和機の運転に応じて、前記空気調和機の運転が冷房運転である場合と暖房運転である場合とで前記回転翼の回転方向を逆にすることである。
【発明の効果】
【００１６】
本発明に係る第１又は第９の特徴によれば、空気調和機の運転に応じて、空気調和機の運転が冷房運転である場合と暖房運転である場合とで回転翼の回転方向を逆にすることによって、エアダクト内に生じる空気の流れが空気調和機の運転に応じて逆方向になり二方向となるので、空気の流れが一方向である場合と比べ、ショーケースにおいて発生するコールドアイルを確実に抑制することができる。
【００１７】
本発明に係る第２の特徴によれば、空気調和機が冷房運転である場合、回転翼の回転方向を空気がエアダクト内を床側から天井側に流れる方向にし、空気調和機が暖房運転である場合、回転翼の回転方向を空気がエアダクト内を天井側から床側に流れる方向にすることによって、空気調和機が冷房運転である場合には、ショーケース前面の床付近に溜った冷気がショーケースの上方に吹き出され、空気調和機が暖房運転である場合には、ショーケースの上方に存在する暖気がショーケース前面の床付近に吹き出されるので、ショーケースにおいて発生するコールドアイルをより確実に抑制することができる。
【００１８】
本発明に係る第３の特徴によれば、店舗周辺の季節に対応する期間に応じて回転翼の回転方向を切り替えることによって、エアダクト内に生じる空気の流れ方向が夏や冬等の季節に対応して変えられるので、ショーケースにおいて発生するコールドアイルをより確実に抑制することができる。
【００１９】
本発明に係る第４の特徴によれば、店舗の営業時間に応じて店舗の営業時間中のみ回転翼の回転を許可することによって、作業者が退店時等に送風機４の運転を停止することを忘れた場合でも、営業時間外に送風機４が稼働し続けることが無くなり、送風機４の無駄な運転を抑止することが可能になるので、省エネルギー化を実現することができる。
【００２０】
本発明に係る第５の特徴によれば、第１の温度センサにより測定されたショーケース前面の床付近の温度が第１のしきい値より高いか否かを判断し、その温度が第１のしきい値より高いと判断した場合、回転翼を停止させることによって、ショーケース前面の床付近の温度が必要以上に高くなることが防止されるので、その床付近の温度を所望の温度に維持することができ、さらに、必要以上の回転翼の回転が防止されるので、省エネルギー化を実現することができる。
【００２１】
本発明に係る第６の特徴によれば、第２の温度センサにより測定されたショーケース上方の天井付近の温度が第２のしきい値より低いか否かを判断し、その温度が第２のしきい値より低いと判断した場合、回転翼の回転方向を空気がエアダクト内を床側から天井側に流れる方向にすることによって、空気がショーケースの上方に吹き出されるので、空気の流動によりショーケース上方の天井の結露やカビの発生を防止することができる。
【００２２】
本発明に係る第７又は８の特徴によれば、第１の温度センサ又は第２の温度センサとして赤外線センサを用いることによって、その赤外線センサが室温で動作可能であり、さらに、簡便で安価であるため、装置構成の複雑化及び高コスト化を抑えることができる。加えて、離れた対象物の温度を測定することも可能となるので、温度センサの設置位置の自由度を向上させることができる。
【図面の簡単な説明】
【００２３】
【図１】本発明の実施の一形態に係るショーケースの概略構成を示す断面側面図である。
【図２】図１に示すショーケースを含む集中管理システムの概略構成を示すブロック図である。
【図３】図１に示すショーケースが備える制御装置が行う送風機の運転処理の流れを示すフローチャートである。
【図４】図１に示すショーケースの変形例１を示す断面側面図である。
【図５】図１に示すショーケースの変形例２を示す断面側面図である。
【発明を実施するための形態】
【００２４】
本発明の実施の一形態について図面を参照して説明する。
【００２５】
図１に示すように、本発明の実施の一形態に係るショーケース１は、前面が開口するケース本体２と、そのケース本体２の外面に設けられたエアダクト３と、そのエアダクト３の上端部に設けられた送風機（ファン）４と、各部を制御する制御装置５とを備えている。
【００２６】
ケース本体２は、商品を陳列して冷却可能（例えば冷蔵あるいは冷凍が可能）なケースである。このケース本体２の内部には、循環ファン２ａや冷気ダクト２ｂ、冷却器２ｃ等が設けられている。循環ファン２ａはケース本体２の下部に設けられており、冷気ダクト２ｂはケース本体２の背面側に設けられており、冷却器２ｃは冷気ダクト２ｂ内に設けられている。
【００２７】
冷気は循環ファン２ａによりケース本体２の下部の前端部に位置する吸入口Ｈ１から吸入され、その後、冷却器２ｃにより冷却されて冷気ダクト２ｂを通過し、ケース本体２の上部の前端部に位置する吹出口Ｈ２からエアカーテンとしてケース本体２の前面を覆うように吹出され、再び、冷気は吸入口Ｈ１から吸入される。このように冷気は前述の経路を循環する。
【００２８】
エアダクト３は、ケース本体２の背面の上端部からそのケース本体２の背面及び底面を通ってケース本体２の前面の下端部まで伸びるダクトである。このエアダクト３は、背面ダクト３ａ及び底面ダクト３ｂにより構成されている。背面ダクト３ａは、ケース本体２の背面に設けられて上下方向に伸びるダクトであり、底面ダクト３ｂは、ケース本体２の底面に背面ダクト３ａに連通させて設けられて前後方向に伸びるダクトである。このようなエアダクト３は、ケース本体２の上方からケース本体２前面の床付近に空気を導き、さらに、その逆にケース本体２前面の床付近からケース本体２の上方に空気を導く。
【００２９】
送風機４は、ケース本体２の上面の後端部、すなわち背面ダクト３ａの上端部にその背面ダクト３ａの開口部を塞ぐように設けられている。この送風機４は、回転可能な回転翼４ａ及び駆動モータ（不図示）等を内蔵しており、その駆動モータにより回転翼４ａを回転させてエアダクト３内に空気の流れを発生させる（図１中の黒三角矢印参照）。この空気の流れ方向は回転翼４ａの回転方向を変えることにより変更可能である。
【００３０】
したがって、天井側から床側への流れ方向（第１の流れ方向）と床側から天井側への流れ方向（第２の流れ方向）とが回転翼４ａの回転方向を逆にすることにより切り替えられる。第１の流れ方向は、空気が背面ダクト３ａ内を天井から床に向かって流れ、底面ダクト３ｂ内を後から前に向かって流れる方向である。また、第２の流れ方向は、空気が底面ダクト３ｂ内を前から後に向かって流れ、背面ダクト３ａ内を床から天井に向かって流れる方向である。
【００３１】
制御装置５は、図２に示すように、制御部５ａ、年間タイマ５ｂ及び通信部５ｃを備えている。この制御装置５には、第１の温度センサ６及び第２の温度センサ７が電気的に接続されている。また、制御装置５には、店舗内の複数のショーケース１を管理する集中管理装置８が通信線等の接続線を介して通信可能に接続されている。その集中管理装置８には、店舗内の温度を調整する空気調和機９が電気的に接続されている。
【００３２】
なお、図１に示すように、制御装置５はケース本体２の下端部のベース部に内蔵されている。また、第１の温度センサ６はケース本体２の前面下部に設けられており、ケース本体２前面の床付近の温度を測定する。第２の温度センサ７はケース本体２上方の天井面に設けられており、ケース本体２上方の天井付近の温度を測定する。これらの第１の温度センサ６及び第２の温度センサ７としては、例えば、対象物の温度を非接触で測定する赤外線センサや接触式の温度センサ等が用いられる。
【００３３】
制御部５ａは、ショーケース１の運転に関する各種制御（例えば、同期制御や温度調整制御、デフロスト制御等）を行う。さらに、制御部５ａは送風機４の回転翼４ａの回転速度や回転方向等の制御も行う。この制御部５ａを備える制御装置５が送風機４の運転装置として機能する。
【００３４】
例えば、制御部５ａは、コールドアイルを抑制するため、空気調和機９の運転に応じて、空気調和機９の運転が冷房運転である場合と空気調和機９の運転が暖房運転である場合とで、送風機４の回転翼４ａの回転方向を逆にする制御を行う（詳しくは後述する）。
【００３５】
また、制御部５ａは、省エネルギー化を実現するため、第１の温度センサ６により測定されたケース本体２前面の床付近の温度が、予め設定されている第１のしきい値より高いか否かを判断し、その温度が第１のしきい値より高いと判断した場合、送風機４の運転、すなわち回転翼４ａの回転を停止させる制御を行う。第１のしきい値としては、例えば、ケース本体２の前面の通路を通過する顧客が不快を感じない温度上限が設定されている。
【００３６】
さらに、制御部５ａは、ケース本体２上方の天井の結露やカビの発生を防止するため、第２の温度センサ７により測定されたケース本体２上方の天井付近の温度が、予め設定されている第２のしきい値より低いか否かを判断し、その温度が第２のしきい値より低いと判断した場合、回転翼４ａの回転方向を空気がエアダクト３内を床側から天井側へ流れる方向にする制御を行う。第２のしきい値としては、例えば、ケース本体２上方の天井の結露やカビの発生を抑える条件に対応した温度下限が設定されている。
【００３７】
年間タイマ５ｂは、季節（夏や冬等の期間）毎の営業日や営業時間帯（開店時間や閉店時間）等の年間スケジュールを示すタイマである。この年間タイマ５ｂが用いられ、季節や営業日、営業時間帯を用いた各種処理が制御部５ａにより実行される。
【００３８】
通信部５ｃは、集中管理装置８に対して接続線を介した通信を可能にするものであり、その集中管理装置８との間で制御情報等の各種情報の送受信を行う。
【００３９】
集中管理装置８は、制御部８ａ、スケジュール管理部８ｂ及び通信部８ｃを備えている。この集中管理装置８は、通信部８ｃにより店舗内の各ショーケース１の制御装置５との間で制御情報等の各種情報をやり取りし、制御部８ａにより各ショーケース１の運転状態等の集中管理を行う。
【００４０】
スケジュール管理部８ｂは、カレンダやタイマ等を有しており、スケジュール情報を管理する。このスケジュール情報は管理者等により予め設定されている。スケジュール情報としては、例えば、季節（夏や冬等の期間）毎の営業日や営業時間帯（開店時間や閉店時間等）の年間スケジュール等が設定されている。
【００４１】
なお、前述の年間タイマ５ｂが制御装置５に設けられていない場合には、制御装置５は、通信部５ｃにより集中管理装置８からスケジュール管理部８ｂのスケジュール情報を受信し、そのスケジュール情報に基づいて、季節や営業日、営業時間帯を用いた各種処理を制御部５ａにより実行することが可能である。
【００４２】
次に、前述のショーケース１の制御装置５が行う送風機４の運転処理について図３を参照して説明する。通常、ショーケース１は陳列商品を冷蔵あるいは冷凍するため、常時冷却を行う運転状態である。
【００４３】
図３に示すように、制御部５ａは、年間タイマ５ｂによるスケジュール情報あるいは集中管理装置８から送信されたスケジュール情報に基づいて、本日が店舗の営業日であるか否かを判断する（ステップＳ１）。
【００４４】
本日が店舗の営業日でないと判断した場合には（ステップＳ１のＮＯ）、送風機４を停止し（ステップＳ２）、すなわち送風機４が運転していた場合には、その運転の停止を行い、送風機４が運転していない場合には、その停止状態を維持し、ステップＳ１に処理を戻す。
【００４５】
一方、本日が店舗の営業日であると判断した場合には（ステップＳ１のＹＥＳ）、年間タイマ５ｂによるスケジュール情報あるいは集中管理装置８から送信されたスケジュール情報に基づいて、現在時刻が営業時間中であるか否かを判断する（ステップＳ３）。
【００４６】
現在時刻が営業時間中でないと判断した場合には（ステップＳ３のＮＯ）、前述のステップＳ２に処理を進め、送風機４を停止し（ステップＳ２）、すなわち送風機４が運転していた場合には、その運転の停止を行い、送風機４が運転していない場合には、その停止状態を維持し、ステップＳ１に処理を戻す。
【００４７】
このように現在時刻が営業時間中でない場合には、送風機４が停止あるいはその停止が維持され、送風機４の回転翼４ａの回転が許可されない。これにより、作業者が退店時等に送風機４の運転を停止することを忘れた場合でも、店舗の営業日外や営業時間外に送風機４が稼働し続けることが無くなるので、送風機４の無駄な運転を防止することができる。
【００４８】
次いで、現在時刻が営業時間中であると判断した場合には（ステップＳ３のＹＥＳ）、送風機４の運転スイッチがＯＮ状態であるか否かを判断する（ステップＳ４）。
【００４９】
ここで、送風機４の運転スイッチ（入力部）は制御装置５に電気的に接続されており、運転スイッチのＯＮ信号あるいはＯＦＦ信号を制御装置５に出力する。制御装置５の制御部５ａはそのＯＮ信号あるいはＯＦＦ信号に基づいて送風機４の運転スイッチがＯＮ状態であるか否かを判断する。
【００５０】
送風機４の運転スイッチがＯＮ状態でないと判断した場合には（ステップＳ４のＮＯ）、前述のステップＳ２に処理を進め、送風機４を停止し（ステップＳ２）、すなわち送風機４が運転していた場合には、その運転の停止を行い、送風機４が運転していない場合には、その停止状態を維持し、ステップＳ１に処理を戻す。
【００５１】
一方、送風機４の運転スイッチがＯＮ状態であると判断した場合には（ステップＳ４のＹＥＳ）、店舗内の空気調和機９の運転信号に基づいて、その空気調和機（空調機）９が暖房運転であるか否かを判断する（ステップＳ５）。
【００５２】
ここで、集中管理装置８は、空気調和機９からその運転が冷房運転又は暖房運転であることを示す運転信号を通信部８ｃにより受信し、その運転信号を制御装置５に送信する。制御装置５は、集中管理装置８から送信された運転信号を通信部５ｃにより受信し、その運転信号に基づいて制御部５ａにより空気調和機９が暖房運転であるか否かを判断する。
【００５３】
店舗内の空気調和機９が暖房運転であると判断した場合には（ステップＳ５のＹＥＳ）、天井側から床側へ空気を吹き出す送風機４の運転を行い（ステップＳ６）、前述のステップＳ１に処理を戻す。
【００５４】
この天井側から床側へ空気を吹き出す送風機の４の運転においては、送風機４の回転翼４ａの回転方向をエアダクト３内に生じる空気の流れが天井側から床側への流れ方向となる回転方向とし、ケース本体２の上方の空気、すなわち床側の空気より温度が高い天井側の空気をケース本体２の前面の床付近に吹き出す。
【００５５】
したがって、空気調和機９が暖房運転である場合には、その暖房運転によってケース本体２の上方に存在する暖気がケース本体２の前面の床付近に吹き出される。これにより、吹き出された暖気と床付近に溜った冷気との間で熱交換が生じ、さらに、吹き出された暖気により床付近に溜った冷気が流動するので、ショーケース１において発生するコールドアイルを確実に抑制することができる。また、暖気の還流により暖房効率も向上させることができる。
【００５６】
一方、店舗内の空気調和機９が暖房運転でないと判断した場合には（ステップＳ５のＮＯ）、店舗内の空気調和機９の運転信号に基づいて、その空気調和機（空調機）９が冷房運転であるか否かを判断する（ステップＳ７）。
【００５７】
ここで、前述と同様、制御装置５は、集中管理装置８から送信された運転信号を通信部５ｃにより受信し、その運転信号に応じて制御部５ａにより空気調和機９が冷房運転であるか否かを判断する。
【００５８】
店舗内の空気調和機９が冷房運転であると判断した場合には（ステップＳ７のＹＥＳ）、床側から天井側へ空気を吹き出す送風機４の運転を行い（ステップＳ８）、前述のステップＳ１に処理を戻す。
【００５９】
この床側から天井側へ空気を吹き出す送風機の４の運転においては、送風機４の回転翼４ａの回転方向をエアダクト３内に生じる空気の流れが床側から天井側への流れ方向となる回転方向とし、ケース本体２の前面の床付近の冷気をケース本体２の上方に吹き出す。
【００６０】
したがって、空気調和機９が冷房運転である場合には、ケース本体２の前面の床付近に溜った冷気がエアダクト３内に吸い込まれ、その後、ケース本体２の上方に吹き出される。これにより、ケース本体２の前面の床付近に溜った冷気が除去されるので、ショーケース１において発生するコールドアイルを確実に抑制することができる。また、冷気の還流により冷房効率も向上させることができる。
【００６１】
一方、店舗内の空気調和機９が冷房運転でないと判断した場合には（ステップＳ７のＮＯ）、年間タイマ５ｂによるスケジュール情報あるいは集中管理装置８から送信されたスケジュール情報に基づいて、年間タイマ５ｂが夏モード（夏の期間）であるか否かを判断する（ステップＳ９）。
【００６２】
年間タイマ５ｂが夏モードであると判断した場合には（ステップＳ９のＹＥＳ）、前述のステップＳ８に処理を進め、床側から天井側へ空気を吹き出す送風機４の運転を行い（ステップＳ８）、前述のステップＳ１に処理を戻す。
【００６３】
一方、年間タイマ５ｂが夏モードでないと判断した場合には（ステップＳ９のＮＯ）、前述のステップＳ６に処理を進め、天井側から床側へ空気を吹き出す送風機４の運転を行い（ステップＳ６）、前述のステップＳ１に処理を戻す。
【００６４】
このように空気調和機９の運転が暖房運転でも冷房運転でもなく、季節が夏である場合には、ケース本体２の前面の床付近の冷気がケース本体２の上方に吹き出される。この冷気の還流により、コールドアイルを抑制しつつ、さらに冷房効果も得ることができる。
【００６５】
一方、空気調和機９の運転が暖房運転でも冷房運転でもなく、季節が夏でない場合には、前述の冷気吹き出しによる冷房効果を回避することが望まれる。したがって、そのような場合には、ケース本体２の上方の空気がケース本体２の前面の床付近に吹き出される。この空気の還流によりコールドアイルを抑制することができる。
【００６６】
以上説明したように、本発明の実施の形態によれば、送風機４の回転翼４ａの回転方向は店舗内の空気調和機９の運転に応じて冷房運転の場合と暖房運転の場合とで逆になるよう変更される。これにより、エアダクト３内を流れる空気の流れ方向も空気調和機９の運転に応じて逆方向に切り替わり二方向となるので、空気の流れが一方向である場合と比べ、ショーケース１において発生するコールドアイルを確実に抑制することができる。
【００６７】
特に、空気調和機９の運転が冷房運転である場合には、送風機４の回転翼４ａの回転方向が床側から天井側へ空気が流れる方向にされ、空気調和機９の運転が暖房運転である場合には、送風機４の回転翼４ａの回転方向が天井側から床側へ空気が流れる方向にされる。
【００６８】
したがって、季節が冬である場合等、空気調和機９の運転が暖房運転である場合には、ケース本体２上方の空気は床側の空気に比べ暖かくなっており、その暖気がエアダクト３内を介してケース本体２前面の床付近に吹き出される。一方、季節が夏である場合等、空気調和機９の運転が冷房運転である場合には、ケース本体２上方の空気はある程度冷えている。このため、その冷気をケース本体２の前面の床付近に供給するよりも、ケース本体２の前面の床付近の冷気自体を取り除く方がコールドアイル抑制効果は高くなる。したがって、空気調和機９の運転が冷房運転である場合には、ケース本体２の前面の床付近の冷気がエアダクト３内を介してケース本体２の上方に吹き出される。このような空気の流れ方向の変更により、ショーケース１において発生するコールドアイルをより確実に抑制することができる。
【００６９】
また、送風機４の回転翼４ａの回転方向は店舗周辺の季節に対応する期間に応じて切り替えられる。これにより、エアダクト３内に生じる空気の流れ方向が夏や冬等の季節に対応して変えられるので、コールドアイルをより確実に抑制することができる。さらに、送風機４の回転は店舗の営業時間に応じて店舗の営業時間中のみ許可される。これにより、作業者が退店時等に送風機４の運転を停止することを忘れた場合でも、営業時間外に送風機４が稼働し続けることが無くなり、送風機４の無駄な運転を抑止することが可能になるので、省エネルギー化を実現することができる。
【００７０】
また、ケース本体２前面の床付近の温度が第１の温度センサ６により測定され、その温度が第１のしきい値より高いと判断された場合には、送風機４の回転翼４ａが停止される。これにより、ケース本体２前面の床付近の温度が必要以上に高くなることが防止されるので、その床付近の温度を所望の温度に維持することができ、さらに、必要以上の回転翼４ａの回転が防止されるので、省エネルギー化を実現することができる。
【００７１】
また、ケース本体２上方の天井付近の温度が第２の温度センサ７により測定され、その温度が第２のしきい値より低いと判断された場合には、送風機４の回転翼４ａの回転方向が床側から天井側へ空気が流れる方向にされる。これにより、空気がケース本体２の上方に吹き出され、空気の流動によりケース本体２上方の天井の結露やカビ発生を防止することができる。なお、結露は店舗内の天井がショーケース１の輻射熱効果により冷やされ条件によって発生することがあり、この結露を防ぐことが望まれている。
【００７２】
また、第１の温度センサ６又は第２の温度センサ７として赤外線センサが用いられる。これにより、その赤外線センサが室温で動作可能であり、さらに、簡便で安価であるため、装置構成の複雑化及び高コスト化を抑止することができる。加えて、離れた対象物の温度を測定することも可能となるので、温度センサの設置位置の自由度を向上させることができる。例えば、第２の温度センサ７はケース本体２上方の天井面ではなく、ケース本体２の上面に設けられても良く、その設置位置の自由度は向上する。
【００７３】
なお、本発明は、前述の実施の形態に限るものではなく、その要旨を逸脱しない範囲において種々変更可能である。例えば、前述の実施の形態に示される全構成要素から幾つかの構成要素を削除してもよい。さらに、異なる実施の形態に亘る構成要素を適宜組み合わせてもよい。
【００７４】
ここで、例えば、ケース本体２の背面がゴンドラとなる場合には、図１に示すように、ケース本体２の背面に背面ダクト３ａを設けているが、図４又は図５に示すように、ケース背面が壁や他のケースとなる場合には、背面ダクト３ａの一部をショーケース１の設置場所や設置状況に依存する他の構造体（例えば、壁面Ｍ１やケース背面Ｍ２等）により構成するようにしても良い。なお、底面ダクト３ｂも同様にその一部をショーケース１の設置場所や設置状況に依存する他の構造体（例えば、床面）により構成するようにしても良い。
【００７５】
図４に示すように、ケース本体２の背面が壁である場合、すなわちショーケース１が店舗内の壁面Ｍ１の前に設置される場合には、背面ダクト３ａの一部（背面）を壁面Ｍ１により構成するようにしても良い。この場合には、背面ダクト３ａの側面は、ケース本体２の側面から壁面Ｍ１までの隙間を塞ぐ板材（例えば、ダクトエンドとなる板材）により形成される。同様に、背面ダクト３ａの上面は、送風機４を避けてケース本体２の上面から壁面Ｍ１までの隙間を塞ぐ板材により形成される。したがって、背面ダクト３ａは、ケース本体２の背面に加え壁面Ｍ１及び複数の板材により構成されることになる。
【００７６】
また、図５に示すように、ケース本体２の背面がケースである場合、すなわち２つのショーケース１が互いのケース背面Ｍ２を向き合わせて店舗内に設置される場合には、背面ダクト３ａの一部を２つのショーケース１の各ケース背面Ｍ２により構成するようにしても良い。この場合には、背面ダクト３ａの側面は、２つのショーケース１の各側面の隙間を塞ぐ板材（例えば、ダクトエンドとなる板材）により形成される。同様に、背面ダクト３ａの上面は、送風機４を避けて２つのショーケース１の各上面の隙間を塞ぐ板材により形成される。したがって、背面ダクト３ａは各ケース背面Ｍ２及び複数の板材により構成されることになり、２つのショーケース１に共通するダクトとなる。
【符号の説明】
【００７７】
１    ショーケース
２    ケース本体
２ａ  循環ファン
２ｂ  冷気ダクト
２ｃ  冷却器
３    エアダクト
３ａ  背面ダクト
３ｂ  底面ダクト
４    送風機
４ａ  回転翼
５    制御装置
５ａ  制御部
５ｂ  年間タイマ
５ｃ  通信部
６    第１の温度センサ
７    第２の温度センサ
８    集中管理装置
８ａ  制御部
８ｂ  スケジュール管理部
８ｃ  通信部
９    空気調和機
Ｈ１  吸入口
Ｈ２  吹出口
Ｍ１  壁面
Ｍ２  ケース背面
【図１】
2011242104.tif 000003
【図２】
2011242104.tif 000004
【図３】
2011242104.tif 000005
【図４】
2011242104.tif 000006
【図５】
2011242104.tif 000007